(57)【要約】      （修正有）【課題】全体構造をできるだけシンプル化し、小型軽量化し得る装飾用鎖類の止め金具を提供する。【解決手段】鎖類３を挿通するための挿通部１ａを有する金具本体１と、この金具本体１の挿通部１ａに挿通される鎖類３を弾性的に拘束保持するように金具本体１内に嵌着された弾性体２とで構成されている。金具本体１は、筒体形状でも樋状部分と蓋部分とで構成されていてもよい。弾性体２は、鎖類３を挿通する貫通孔を形成してあってもよく、或いは、一方から押圧するものであってもよい。【選択図】図１
0003153253.tif 000002
【実用新案登録請求の範囲】
【請求項１】
鎖類を挿通するための挿通部を有する金具本体と、この金具本体の挿通部に挿通される鎖類を弾性的に拘束保持するように金具本体内に嵌着された弾性体とで構成されていることを特徴とする装飾用鎖類の止め金具。
【請求項２】
前記金具本体は、前記挿通部の周囲を包囲する筒体形状とされ、前記弾性体が筒体形状の内部に嵌着されており、この弾性体には、鎖類を挿通するための挿通部が前記筒体形状の筒体軸線方向に沿って貫通形成されていることを特徴とする請求項１に記載の装飾用鎖類の止め金具。
【請求項３】
前記金具本体には、前記弾性体を筒体形状の内部に嵌め入れるための窓孔が筒体形状の外周部に開設されていることを特徴とする請求項２に記載の装飾用鎖類の止め金具。
【請求項４】
前記金具本体は、筒体形状とされ、前記弾性体が筒体形状の内部に嵌着されており、これらの金具本体と弾性体には、鎖類を挿通するための挿通部が前記筒体形状の筒体軸線に直交する横孔として貫通形成されていることを特徴とする請求項１に記載の装飾用鎖類の止め金具。
【請求項５】
前記金具本体は、前記弾性体を嵌め入れるための開口部を上部に有する樋状部分と、この開口部を閉じるべく樋状部分に開閉可能に枢着された蓋部分とで構成され、この樋状部分と蓋部分とで前記挿通部が包囲形成され、この挿通部に前記弾性体が嵌着されていることを特徴とする請求項１に記載の装飾用鎖類の止め金具。
【請求項６】
前記樋状部分には、前記弾性体を位置決め保持する横穴が形成されており、この弾性体には、樋状部分の内底面側に鎖類に当接する凹溝が形成されていることを特徴とする請求項５に記載の装飾用鎖類の止め金具。
【請求項７】
前記金具本体は、前記挿通部が平行又は交叉するように２個分が接合されていることを特徴とする請求項１〜６の何れか１項に記載の装飾用鎖類の止め金具。
【請求項８】
前記金具本体には、連結環が取り付けてあることを特徴とする請求項１〜７の何れか１項に記載の装飾用鎖類の止め金具。
【考案の詳細な説明】
【技術分野】
【０００１】
本考案は、装飾用鎖類の止め金具に関するものである。
【背景技術】
【０００２】
従来、ネックレスやブレスレットなどの装飾用鎖類の止め金具として、バネで閉止力を付勢された一対の挟持片からなる洗濯ハサミ型のものがある（例えば、特許文献１、２等参照）。
【先行技術文献】
【特許文献】
【０００３】
【特許文献１】特開２００６−１９８３４８号公報
【特許文献２】特願２００７−１９５６０６号公報
【考案の概要】
【考案が解決しようとする課題】
【０００４】
特許文献１の止め金具は、一対の挟持片で鎖類の途中を横から挟持させるという取付形態となるため、鎖類から脱落し易く、しかも、ヒンジ部の先端側に鎖類の挟持部を形成し、ヒンジ部の後端側に操作摘み部を突出形成しておく必要があり、全体の形状が大きくなるという問題点があると共に、突出形成された操作摘み部に外力が当たりやすく、また、操作を容易にするためにバネ力を小さくしておく必要があり、少しの外力で挟持片が開き、鎖類の挟持が外れて鎖類のループが解除され、全体が脱落し、紛失し易いという問題点がある。
【０００５】
また、特許文献２の止め金具は、一対の挟持片の一方に返し部を設けて挟持片が外力で開いた場合でも鎖類から外れにくくしているが、この場合では、返し部を設けているために、挟持片がさらに大きくなると共に、挟持可能な相手側の形状がリング同士を連結したものに制約されるという問題点がある。
本考案は、従来の止め金具の前記問題点に鑑み、全体構造をできるだけシンプル化し、小型軽量化し得る装飾用鎖類の止め金具を提供することを目的としている。なお、本考案において、鎖類とは、ネックレス、ブレスレット等の装身具に適用される各種の鎖、連珠、紐、芯糸を挿通して綴られたビーズ類、曲玉・管状の宝石、貴石、人工石類、など連続して綴られた装飾用アクセサリー全般を含むものと解されたい。
【課題を解決するための手段】
【０００６】
前記目的を達成するために本考案は、鎖類を挿通するための挿通部を有する金具本体と、この金具本体の挿通部に挿通される鎖類を弾性的に拘束保持するように金具本体内に嵌着された弾性体とで構成されていることを特徴としている。
この構成によれば、金具本体の挿通部に挿通された鎖類を、金具本体内に嵌着された弾性体によって、弾性的に拘束保持させているため、止め金具が鎖類から脱落することを防止することができると共に、止め金具を移動させるには、弾性体の弾性的な拘束力に抗して鎖類又は止め金具を相対的に引っ張ればよく、鎖類の長さ調節や止め金具の位置調節が容易に実施でき、しかも、止め金具のシンプル化及び小型軽量化が可能となる。
【０００７】
前記金具本体は、前記挿通部の周囲を包囲する筒体形状とされ、前記弾性体が筒体形状の内部に嵌着されており、この弾性体には、鎖類を挿通するための挿通部が前記筒体形状の筒体軸線方向に沿って貫通形成されている。
この構成によれば、金具本体及び弾性体のシンプル化及び小型軽量化が可能となり、また、金具本体に挿通される鎖類をその周囲から弾性体で包囲して保護することになるため、鎖類が損傷することを防止することができる。
前記金具本体には、前記弾性体を筒体形状の内部に嵌め入れるための窓孔が筒体形状の外周部に開設されていることが望ましい。
【０００８】
この構成によれば、弾性体を金具本体内に嵌着することが容易となる。
前記金具本体は、筒体形状とされ、前記弾性体が筒体形状の内部に嵌着されており、これらの金具本体と弾性体には、鎖類を挿通するための挿通部が前記筒体形状の筒体軸線に直交する横孔として貫通形成されていてもよい。
この構成によれば、挿通された鎖類によって金具本体に対する弾性体の抜け止めを行わせることができるため、金具本体の形状を単純な筒体形状とでき、抜け止め部の形成を省略することができる。
【０００９】
前記金具本体は、前記弾性体を嵌め入れるための開口部を上部に有する樋状部分と、この開口部を閉じるべく樋状部分に開閉可能に枢着された蓋部分とで構成され、この樋状部分と蓋部分とで前記挿通部が包囲形成され、この挿通部に前記弾性体が嵌着されていてもよい。
この構成によれば、蓋部分を開放した状態で弾性体を金具本体内に嵌着することができるため、弾性体を金具本体内に嵌着することが容易となり、弾性体を金具本体内に嵌着後蓋部分を閉じて弾性体を被覆することができ、外観体裁を向上させることができる。
【００１０】
前記樋状部分には、前記弾性体を位置決め保持する横穴が形成されており、この弾性体には、樋状部分の内底面側に鎖類に当接する凹溝が形成されていることが望ましい。
この構成によれば、弾性体を金具本体の樋状部分内に確実に位置決め保持させておくことができ、また、樋状部分の内底面と弾性体の凹溝とで鎖類の挿通部を形成することになり、樋状部分に挿通された鎖類を弾性体で一方から樋状部分の内底面に押圧して拘束保持することになるため、金具本体を鎖類に挿通する際、及び、移動させる際、容易に実施することができる。
【００１１】
前記金具本体は、前記挿通部が平行又は交叉するように２個分が接合されていてもよい。
この構成によれば、鎖類の両端を接合された２個の金具本体に別々に挿通することにより、鎖類をループ状にすることができ、ループの大きさの調節も容易にすることができる。
前記金具本体には、連結環が取り付けてあってもよい。
この構成によれば、１個の金具本体でも鎖類の一端を該金具本体の挿通部に挿通し、鎖類の他端を連結環に連結することにより、鎖類をループ状にすることができ、ループの大きさの調節も容易となり、しかも、この連結環により別のアクセサリーを鎖類に取り付けることも容易となる。
【考案の効果】
【００１２】
本考案によれば、全体構造をできるだけシンプル化し、小型軽量化し得る装飾用鎖類の止め金具を提供することができる。
【図面の簡単な説明】
【００１３】
【図１】本考案に係る止め金具の第１の実施形態で、（Ａ）は金具本体の斜視図、（Ｂ）は弾性体の斜視図、（Ｃ）は金具本体内に弾性体を嵌着して構成した止め金具の縦断側面図、（Ｄ）は該止め金具に鎖類を挿通した状態の縦断正面図である。
【図２】本考案に係る止め金具の第２の実施形態で、（Ａ）は金具本体の斜視図、（Ｂ）は弾性体の斜視図、（Ｃ）は金具本体内に弾性体を嵌着して鎖類を挿通した状態の縦断正面図、（Ｄ）は金具本体内に弾性体を嵌着して構成した止め金具の縦断側面図である。
【図３】本考案に係る止め金具の第３の実施形態で、（Ａ）は金具本体の斜視図、（Ｂ）は弾性体の斜視図、（Ｃ）は金具本体内に弾性体を嵌着して構成した止め金具の縦断側面図、（Ｄ）は該止め金具に鎖類を挿通した状態の縦断正面図である。
【考案を実施するための形態】
【００１４】
以下、本考案に係る装飾用鎖類の止め金具の実施形態を図面を参照して説明する。
本考案に係る止め金具の第１の実施形態は、図１の（Ａ）〜（Ｄ）に示すように、金具本体１と、弾性体２とを備えている。
金具本体１は、金、銀、白金、チタン合金、その他、各種の金属材料で構成され、鎖類３を挿通するための挿通部１ａを有する。また、弾性体２は、シリコンゴム、その他のゴム材料、軟質樹脂等の弾性材料で構成され、前記金具本体１の挿通部１ａに挿通される鎖類３を弾性的に拘束保持するように金具本体１内に嵌着されている。なお、鎖類３は、ボールチェーンの場合を例示しているが、これに制約されず、各種の鎖、連珠、紐、芯糸を挿通して綴られたビーズ類であってもよい。
【００１５】
第１の実施形態においては、金具本体１は、前記挿通部１ａの周囲を包囲する筒体形状（円筒形状を例示しているが、これに制約されず、四角筒、六角筒、八角筒等の形状でもよい。）とされ、この筒体形状の内部に嵌着される弾性体２は、該筒体形状の内部とほぼ同一形状又は若干大き目の柱状（円柱、角柱等）とされており、この弾性体２には、鎖類３を挿通するための挿通部２ａが前記筒体形状の筒体軸線方向に沿うように中心部に貫通形成されている。弾性体２の挿通部２ａは、挿通される鎖類３の外径より僅かに小さく形成されている。
【００１６】
そして、前記金具本体１には、前記弾性体２を筒体形状の内部に嵌め入れるための窓孔１ｂが筒体形状の外周部に略半周分に亘って開設されている。弾性体２は、この窓孔１ｂから金具本体１内に圧縮しつつ押し込み、金具本体１内で自己弾性により復元させて嵌着される。
金具本体１の挿通部１ａは、筒体形状をなす金具本体１の筒軸方向に貫通して形成されており、この挿通部１ａの両端部には環状鍔部１ｃ、１ｄが形成されている。この環状鍔部１ｃ、１ｄによって、金具本体１内に嵌着された弾性体２が金具本体１の筒軸方向に抜け出すことを防止させている。また、金具本体１の窓孔１ｂの周囲にも弾性体２が窓孔１ｂから抜け出すことを防止する凸縁１ｅ、１ｆが形成されている。
【００１７】
図２（Ａ）〜（Ｄ）は、本考案に係る止め金具の第２の実施形態を示しており、この第２の実施形態においては、金具本体１は、筒体形状（円筒形状を例示しているが、これに制約されず、四角筒、六角筒、八角筒等の形状でもよい。）とされ、この筒体形状の内部に嵌着される弾性体２は、該筒体形状の内部とほぼ同一形状又は若干大き目の柱状（円柱、角柱等）とされており、これらの金具本体１と弾性体２には、鎖類３を挿通するための挿通部１ａ、２ａが筒体形状の筒体軸線に直交する横孔として筒体軸線方向の中央部に貫通形成されている。この場合、金具本体１の挿通部１ａは挿通される鎖類３の外径よりも僅かに大きく形成されるが、弾性体２の挿通部２ａは、挿通される鎖類３の外径より僅かに小さく形成されている。
【００１８】
この第２の実施形態においては、金具本体１内に嵌着した弾性体２の抜け止めを、鎖類３で行わせている。
図３（Ａ）〜（Ｄ）は、本考案に係る止め金具の第３の実施形態を示しており、この場合も、前記した第１の実施形態と同様に、金具本体１と、弾性体２とを備えている。
但し、第３の実施形態における金具本体１は、弾性体２を嵌め入れるための開口部１ｇを上部に有する樋状部分１ｈと、この開口部１ｇを閉じるべく樋状部分１ｈにヒンジピン１ｉを介して開閉可能に枢着された蓋部分１ｊとで構成され、この樋状部分１ｈと蓋部分１ｊとで鎖類３の挿通部１ｋを包囲形成している。そして、この挿通部１ｋに弾性体２が嵌着されている。
【００１９】
弾性体２は、柱状（円柱の場合を例示しているが、角柱であってもよい。）とされており、両端に小径の凸部２ｂ、２ｃが形成されている。
前記樋状部分１ｈには、弾性体２を位置決め保持する横穴１ｍ、１ｎが形成されており、この横穴１ｍ、１ｎに弾性体２の両端の凸部２ｂ、２ｃが嵌合されている。そして、この弾性体２には、樋状部分１ｈの内底面側に鎖類３に当接する凹溝２ｄが形成されている。
前記蓋部分１ｊには、摘み１ｐが形成されており、この摘み１ｐに対応して、樋状部分には、切欠き凹部１ｑが形成されている。この摘み１ｐは、蓋部分１ｊを開閉し易くするために設けられており、また、切欠き凹部１ｑは、蓋部分１ｊを閉じた場合に摘み１ｐを収納させて出っ張らないようにするために設けられている。
【００２０】
本考案に係る止め金具の第１〜第３の実施形態は、以上の構成からなり、鎖類３を挿通するには、挿通補助具として、例えば、鎖類３の一端の細首部に金属細線を２つ折りして形成したループを嵌め込んで連結し、この金属細線を引っ張って鎖類３を金具本体１の挿通部１ａ及び弾性体２の挿通部２ａ又は凹溝２ｄに挿通する。挿通後は、金属細線を外して鎖類３を引っ張り、金具本体１を所望の位置まで移動させればよい。この状態においては、弾性体２によって鎖類３を弾性的に拘束保持しているため、金具本体１が勝手に移動したり、ずれたりしない。しかし、金具本体１を持って鎖類３を引っ張れば、弾性体２の弾性的拘束力に抗して金具本体１を所望位置まで移動させることができる。
【００２１】
なお、金具本体１の一部には、連結環４が取り付けてある。この連結環４は、鎖類３の端部を連結する場合や他のアクセサリーを取り付ける場合等に使用されるもので、アクセサリー等の着脱を容易化するために開閉可能なフック形状としてあってもよい。
以上説明したように、本考案の止め金具の第１〜第３の実施形態は、金具本体１の挿通部１ａ又は１ｋに挿通された鎖類３を、金具本体１内に嵌着された弾性体２によって、弾性的に拘束保持させているため、止め金具が鎖類３から脱落することを防止することができると共に、止め金具を移動させるには、弾性体２の弾性的な拘束力に抗して鎖類３を引っ張ればよく、鎖類３の長さ調節や止め金具の位置調節が容易に実施でき、しかも、止め金具のシンプル化及び小型軽量化が可能となる。
【００２２】
また、前記金具本体１は、第１の実施形態では、前記挿通部１ａの周囲を包囲する筒体形状とされ、前記弾性体２が筒体形状の内部に嵌着されており、この弾性体２には、鎖類３を挿通するための挿通部２ａが貫通孔として形成されているため、金具本体１及び弾性体２のシンプル化及び小型軽量化が可能となり、また、金具本体１に挿通される鎖類３をその周囲から弾性体２で包囲して保護することになるため、鎖類３が損傷することを防止することができる。
この場合、前記金具本体１には、前記弾性体２を筒体形状の内部に嵌め入れるための窓孔１ｂが筒体形状の外周部に開設されていることによって、弾性体２を金具本体１内に嵌着することが容易となる。
【００２３】
また、金具本体１は、第２の実施形態では、筒体形状とされ、弾性体２が筒体形状の内部に嵌着されており、これらの金具本体１と弾性体２には、鎖類３を挿通するための挿通部１ａ、２ａが前記筒体形状の筒体軸線に直交する横孔として貫通形成されているため、挿通された鎖類３によって金具本体１に対する弾性体２の抜け止めを行わせることができ、金具本体１の形状を単純な筒体形状とでき、抜け止め部の形成を省略することができる。
さらに、前記金具本体１は、第３の実施形態では、前記弾性体２を嵌め入れるための開口部１ｇを上部に有する樋状部分１ｈと、この開口部１ｇを閉じるべく樋状部分１ｈに開閉可能に枢着された蓋部分１ｊとで構成され、この樋状部分１ｈと蓋部分１ｊとで挿通部１ｋが包囲形成され、この挿通部１ｋに弾性体２が嵌着されているため、蓋部分１ｊを開放した状態で弾性体２を金具本体１内に嵌着することができる。これによって、弾性体２を金具本体１内に嵌着することが容易となり、弾性体２を金具本体１内に嵌着後、蓋部分１ｊを閉じて弾性体２を被覆することができ、外観体裁を向上させることができる。
【００２４】
この場合、樋状部分１ｈには、弾性体２を位置決め保持する横穴１ｍ、１ｎが形成されており、この弾性体２には、樋状部分１ｈの内底面側に鎖類３に当接する凹溝２ｄが形成されているため、弾性体２を金具本体１の樋状部分１ｈ内に確実に位置決め保持させておくことができ、また、樋状部分１ｈの内底面と弾性体２の凹溝２ｄとで鎖類３の挿通部１ｋを形成することになり、樋状部分１ｈに挿通された鎖類３を弾性体２で一方から樋状部分１ｈの内底面に押圧して拘束保持することになるため、金具本体１を鎖類３に挿通する際、及び、移動させる際、容易に実施することができる。
【００２５】
本考案の更に別の実施形態として、金具本体１は、挿通部１ａ又は１ｋが平行又は交叉するように２個分が接合されていてもよい。
この構成によれば、鎖類３の両端を接合された２個の金具本体１、１に別々に挿通することにより、鎖類３をループ状にすることができ、ループの大きさの調節も容易にすることができる。
本考案の実施形態は、以上であるが、本考案は、これらの実施形態にのみ制約されるものではなく、実用新案登録請求の範囲内において、種々変更して実施することが可能である。
【産業上の利用可能性】
【００２６】
本考案に係る装飾用鎖類の止め金具は、ネックレス、ブレスレット、アークレット、アンクレット、ループタイ、携帯ストラップ、ペンダント、ブローチ、その他、各種の装身具用鎖類の止め金具に利用可能である。
【符号の説明】
【００２７】
１    金具本体
２    弾性体
３    鎖類
４    連結環
【図１】
0003153253.tif 000003
【図２】
0003153253.tif 000004
【図３】
0003153253.tif 000005